(57)【要約】      （修正有）【課題】中央卸売市場の廃水を無害化する蒸留燃焼装置を提供する。【解決手段】廃水１をベンゼンの共沸点付近の温度７０〜８０度Ｃに加熱する廃水加熱炉３と、廃水加熱炉３によって７０〜８０度Ｃに加熱された廃水１をフラッシュして、ベンゼン及びシアンと水とを分離する蒸留塔５と、蒸留塔５の塔頂６に集合するベンゼン・シアンを９００度Ｃ以上の温度で完全燃焼させ炭酸瓦斯・水蒸気・窒素に変化させる燃焼炉８とを備え、変化した炭酸瓦斯・水蒸気・窒素を廃水加熱炉３に放出放熱させて廃水加熱を補助した後に廃水加熱炉３に設けられた煙突から大気中に放出する。【選択図】図１
0003213618.tif 000002
【実用新案登録請求の範囲】
【請求項１】
ベンゼン及びシアンを含む豊洲新市場の廃水を無害化する蒸留燃焼装置であって、
廃水をベンゼンの共沸点付近の温度７０〜８０度Ｃに加熱する廃水加熱炉と、
廃水加熱炉によって７０〜８０度Ｃに加熱された廃水をフラッシュして、ベンゼン及びシアンと水とを分離する蒸留塔と、
蒸留塔の塔頂に集合するベンゼン・シアンを９００度Ｃ以上の温度で完全燃焼させ炭酸瓦斯・水蒸気・窒素に変化させる燃焼炉とを備え、
変化した炭酸瓦斯・水蒸気・窒素を廃水加熱炉に放出放熱させて廃水加熱を補助した後に廃水加熱炉に設けられた煙突から大気中に放出することを特徴とした豊洲廃水を無害化する蒸留燃焼装置。
【請求項２】
蒸留塔の塔底に貯留する無害化した熱廃水を冷浄水と熱交換して、加熱浄水と無害化温廃水を生む熱交換器を備えたことを特徴とした請求項１記載の豊洲廃水を無害化する蒸留燃焼装置。
【請求項３】
加熱浄水は浴場の湯として、無害化温廃水は温室を温めるために使用することを特徴とした請求項２記載の豊洲廃水を無害化する蒸留燃焼装置。
【考案の詳細な説明】
【技術分野】
【０００１】
本願考案は、豊洲新市場の廃水を無害化するために成されるものである。
【背景技術】
【０００２】
毒物及び劇物取締法による有害物質の含有量許容基準値は次のように定められている。
ベンゼン  空気中：０００３mg／Ｍ３  水中：０．１mg／L  土壌中：５０mg／kg
シアン    水中：１−１０μｇ／Ｌ  土壌中：５０mg／kg
土壌中には粉、石、土塊等が存在し投棄した有害物の分布は、広さや深さにおいて均一性がないため、１個所からサンプリングした分析値は、無意味と考えられる。
【０００３】
ところで、テレビや新聞等で中央卸売市場の移転先として予定されている豊洲新市場においては、その廃水中に、ベンゼン・シアン等が存在すると報じられている。不確実な情報かも知れないが、本願出願人は直近の特許文献１を含めこれまで８０件以上の特許出願及び実用新案登録出願に関わった経験を基にこの問題に真正面から立ち向かう覚悟で、一応これを信じて本願出願人がこの状況に直面した時、現時点でどの様な手段を取れば良いかを考え、先ず問題の主点を水中のベンゼン、シアンにおいてみた。
【先行技術文献】
【特許文献】
【０００４】
【特許文献１】実用新案登録第３２０７６５３号公報
【考案の概要】
【考案が解決しようとする課題】
【０００５】
ベンゼンと水は難溶性の共沸混合物である。この特徴を生かすことにした。ベンゼンの沸点は８０．９９度Ｃであるが、水との共沸点は６９．２５度Ｃである。豊洲新市場の廃水（以下「豊洲廃水」）を共沸点よりやや高い７５度Ｃ位の温度に加熱すれば、水は沸騰せずベンゼンのみ蒸発し、廃水中の有害物は除去され無害化廃水になる。シアン化水素の沸点は２７．５度Ｃである。豊洲廃水がアルカリ性の場合には、中性〜微酸性にする必要がある。
【課題を解決するための手段】
【０００６】
本願考案の第１の考案は、ベンゼン及びシアンを含む豊洲新市場の廃水を無害化する蒸留燃焼装置であって、廃水をベンゼンの共沸点付近の温度７０〜８０度Ｃに加熱する廃水加熱炉と、廃水加熱炉によって７０〜８０度Ｃに加熱された廃水をフラッシュして、ベンゼン及びシアンと水とを分離する蒸留塔と、蒸留塔の塔頂に集合するベンゼン・シアンを９００度Ｃ以上の温度で完全燃焼させ炭酸瓦斯・水蒸気・窒素に変化させる燃焼炉とを備え、変化した炭酸瓦斯・水蒸気・窒素を廃水加熱炉に放出放熱させて廃水加熱を補助した後に廃水加熱炉に設けられた煙突から大気中に放出することを特徴とした豊洲廃水を無害化する蒸留燃焼装置である。
第２の考案は、蒸留塔の塔底に貯留する無害化した熱廃水を冷浄水と熱交換して、加熱浄水と無害化温廃水を生む熱交換器を備えたことを特徴とした同豊洲廃水を無害化する蒸留燃焼装置である。
第３の考案は、加熱浄水は浴場の湯として、無害化温廃水は温室を温めるために使用することを特徴とした同豊洲廃水を無害化する蒸留燃焼装置である。
【考案の効果】
【０００７】
本願考案に係る「豊洲廃水を無害化する蒸留燃焼装置」によれば、いまだ迷走を続けている豊洲問題について、豊洲廃水を無害化する具体的な方策を提起することでこの問題に一石を投じることができると考える。
【図面の簡単な説明】
【０００８】
【図１】本願考案に係る「豊洲廃水を無害化する蒸留燃焼装置」の全体図。
【図２】本願考案に係る「豊洲廃水を無害化する蒸留燃焼装置」のための硝子器具による小実験を図示した説明図。
【図３】本願考案に係る「豊洲廃水を無害化する蒸留燃焼装置」のパイロットプラントを図示した説明図。
【考案を実施するための形態】
【０００９】
本願考案に係る「豊洲廃水を無害化する蒸留燃焼装置」を図面に基づいて説明する。
まず、図１を説明する。
豊洲廃水１を、ポンプ２で廃水加熱炉３内のパイプスチル４に送入し、７０〜８０度Ｃに加熱した液を蒸留塔５の中にフラッシュすれば、シアン・ベンゼンは水と分離して塔頂６に集合する。この有害可燃物６Ｖは、９００度Ｃ以上の温度を保持した燃焼炉８に導き、同時に空気を送入して完全燃焼させ、炭酸瓦斯・水蒸気・窒素にする。
＜燃焼反応式＞
C6H6 + 9O2 = 6CO2 + 3H2O + 782Cal/g
8HCN + 20O2 = 4H2O +4CO2 +4N2
【００１０】
更に廃水加熱炉３内に放出・放熱して、廃水の加熱を補助した後、炉内瓦斯と共に、煙突９より大気Ａ中に吐出あれる。燃焼消費量は水を沸騰させた場合の１４％、可燃性有害物の濃度が高まる程熱効率が良くなる。塔底７より溜出する７５度Ｃの無害化廃水Ｈ７Ｗは、浄水ＦＷと熱交換する。無害化温廃水Ｗ７Ｗは、温室１２等を温めた後、放流する。
【００１１】
熱交換器１０から出た加温浄水ＨＦＷは豊洲浴場１１に使用する。なお、符号１３は、引火爆発を防止する防火金網である。符号１４は、蒸留塔底の液温を常に７５度Ｃ付近に保持させるために、無害化熱廃水Ｈ７Ｗを還流循環させるための還流パイプである。符号１５は、送風器、符号１６は、空気入口である。
【００１２】
次に、図２及び図３を説明する。
図２は、廃液無害化の必要条件を掴むための硝子器具による小実験を行うための装置を説明したものである。
図３は、小型実験装置であるパイロットプラントを試作し、これを作動して、大型プラントに必要な凡ての条件を掴むことを目的とした装置を説明したものである。
なお、有害物の測定には、シアンにはイオン試験紙等、ベンゼンにはベンゼン試験紙、携帯式ＶＯＣ測定器等を使用すれば良い。
【産業上の利用可能性】
【００１３】
本願考案に係る「豊洲廃水を無害化する蒸留燃焼装置」は、豊洲廃水を無害化するのみならず、豊洲問題の解決へ一石を投じるものと期待する。また、怪我や失敗を怖れては何もできず、失敗こそ貴重な経験であり、之に挫けず目的に向かってまっしぐらに進む一番大切な姿勢を忘れている現代において、本願考案を通して、次の新世帯を担う子供達に、自分本位の情けない人になって欲しくない、頼り甲斐のある逞しい、温かい人になって欲しいと願い、これを期待するものである。
【符号の説明】
【００１４】
１  豊洲廃水
２  ポンプ
３  廃水加熱炉
４  パイプスチル
５  蒸留塔
６  塔頂
７  塔底
８  燃焼炉
９  煙突
１０  熱交換器
１１  豊洲浴場
１２  温室
１３  防火金網
１４  還流パイプ
１５  送風器
１６  空気入口
Ｈ７Ｗ  無害化熱廃水
Ｗ７Ｗ  無害化温廃水
ＦＷ  浄水
ＨＦＷ  加熱浄水
Ａ  大気
【図１】
0003213618.tif 000003
【図２】
0003213618.tif 000004
【図３】
0003213618.tif 000005
【手続補正書】
【提出日】平成29年6月22日(2017.6.22)
【手続補正１】
【補正対象書類名】明細書
【補正対象項目名】０００９
【補正方法】変更
【補正の内容】
【０００９】
本願考案に係る「豊洲廃水を無害化する蒸留燃焼装置」を図面に基づいて説明する。
まず、図１を説明する。
豊洲廃水１を、ポンプ２で廃水加熱炉３内のパイプスチル４に送入し、７０〜８０度Ｃに加熱した液を蒸留塔５の中にフラッシュすれば、シアン・ベンゼンは水と分離して塔頂６に集合する。この有害可燃物６Ｖは、９００度Ｃ以上の温度を保持した燃焼炉８に導き、同時に空気を送入して完全燃焼させ、炭酸瓦斯・水蒸気・窒素にする。
＜燃焼反応式＞
C6H6 + 9O2 = 6CO2 + 3H2O + 782Cal/g
8HCN + 10O2 = 4H2O +8CO2 +4N2
【手続補正２】
【補正対象書類名】図面
【補正対象項目名】図１
【補正方法】変更
【補正の内容】
【図１】
0003213618.tif 000006
【手続補正書】
【提出日】平成29年7月7日(2017.7.7)
【手続補正１】
【補正対象書類名】図面
【補正対象項目名】図２
【補正方法】変更
【補正の内容】
【図２】
0003213618.tif 000007
【手続補正２】
【補正対象書類名】図面
【補正対象項目名】図３
【補正方法】変更
【補正の内容】
【図３】
0003213618.tif 000008
【手続補正書】
【提出日】平成29年9月19日(2017.9.19)
【手続補正１】
【補正対象書類名】実用新案登録請求の範囲
【補正対象項目名】全文
【補正方法】変更
【補正の内容】
【実用新案登録請求の範囲】
【請求項１】
ベンゼン及びシアンを含む新規中央卸売市場の廃水を無害化する蒸留燃焼装置であって、
廃水をベンゼンの共沸点付近の温度７０〜８０度Ｃに加熱する廃水加熱炉と、
廃水加熱炉によって７０〜８０度Ｃに加熱された廃水をフラッシュして、ベンゼン及びシアンと水とを分離する蒸留塔と、
蒸留塔の塔頂に集合するベンゼン・シアンを９００度Ｃ以上の温度で完全燃焼させ炭酸瓦斯・水蒸気・窒素に変化させる燃焼炉とを備え、
変化した炭酸瓦斯・水蒸気・窒素を廃水加熱炉に放出放熱させて廃水加熱を補助した後に廃水加熱炉に設けられた煙突から大気中に放出することを特徴とした市場廃水を無害化する蒸留燃焼装置。
【請求項２】
蒸留塔の塔底に貯留する無害化した熱廃水を冷浄水と熱交換して、加熱浄水と無害化温廃水を生む熱交換器を備えたことを特徴とした請求項１記載の市場廃水を無害化する蒸留燃焼装置。
【請求項３】
蒸留塔の塔底に貯留する無害化した熱廃水を冷浄水と熱交換して、浴場の湯として使用する加熱浄水と温室を温めるために使用する無害化温廃水とを生む熱交換器を備えたことを特徴とした請求項２記載の市場廃水を無害化する蒸留燃焼装置。